(57)【要約】      （修正有）【課題】液体移送装置の定量移送を安定させるために、他の空気配管の変動があっても、液体移送に影響が出ない空気量を確保する。【解決手段】少しの空気供給量の変動により揚水量に大きな変動が出てくるのを回避するために、多めの空気供給量で少量の揚水が出来る構造とする。本来約１〜２リットル／分の空気量での揚水量約１〜２リットル／分を、約５リットル／分の空気量で約１〜２リットル／分を揚水する構造とする。本来の揚水管の断面積の約２倍から４倍の断面積の揚水管とすることにより実施可能となる。  また、揚水管の吐出部分を移送する槽の液面下まで下ろし、共鳴する音を管内に封じ込める構造とした。且つその部分を揚水部分の管径より大きな移送管で構成し、液面より上部に複数の小さな空気逃がしの穴を設けることにより、揚水管内に共鳴して騒音となる空気逃がし時の音を分散・減音化し大幅に低い騒音レベルまで落とすことを可能とした。【選択図】図１
2006316780.tif 000002
【特許請求の範囲】
【請求項１】
貯留部の液体を内部に取り込むための密閉容器と、加圧空気を密閉容器内に供給するための空気供給管と、空気供給管からの空気圧により密閉容器内に取り込まれた液体を特定箇所まで移送するための揚水管とを備え、密閉容器内の揚水管の上部に一端が連通接続され、かつ、他端が密閉容器の下部に連通された補助管を設け、密閉容器内の液体を密閉容器の上部から取り入れて補助管の下部開口部に供給するための貯留量調節用管を設けた液体移送装置にあって、揚水管の管径を大きくすることにより、約１〜２リットル／分の極少量の液体の移送を安定して行う液体位移送装置。
【請求項２】
請求項１の液体移送装置にあって、揚水管の吐出部分を移送する槽の液面下まで下ろし、且つその部分を揚水部分の管径より大きな移送管で構成し、液面より上部に空気逃がしの穴を設けることにより、揚水管内に共鳴して騒音となる空気逃がし時の音を大幅に低減した液体移送装置。
【発明の詳細な説明】
【技術分野】
【０００１】  本発明は、水処理装置の一例である浄化槽に主として用いられ、例えば嫌気ろ床槽の汚水（液体）を接触ばっ気槽、担体流動床、生物ろ過槽等に移送するために用いる液体移送装置に関する。
【背景技術】
【０００２】  従来、上記液体移送装置としては、間欠的に定量移送することが出来るものが好ましく、例えば特開２００３−２２７４９９に示される液体移送装置が揚げられる。しかし、この液体移送装置は、動力源となる空気を大抵１つのブロワーから分岐して使用しているために、他のばっ気や逆洗、エアリフトポンプ等の使用圧に変動があると、定量性が悪くなる。【０００３】  また、液体を１サイクル毎に吐出した後、揚水に使用した圧縮空気が大気圧に開放される際に揚水管の管内に空気が逃げる音が共鳴して騒音の発生源となっていた。
【発明の開示】
【発明が解決しようとする課題】
【０００４】  上記のように、動力源となる空気を大抵１つのブロワーから分岐して使用しているために、他のばっ気や逆洗、エアリフトポンプ等の使用圧が変動した場合、液体移送装置に供給される空気量もそれに伴い変動する。特に揚水量の少ない場合（約１〜２リットル／分）は使用する空気量も少ないために、少しの空気供給量の変動により揚水量に大きな変動が出てくる。これを回避するためには、液体移送装置専用のブロワーを用意する必要があった。しかし、この場合はブロワーを２台使用するためにコストアップになる。このように、液体移送装置の定量移送を安定させるためには、他の空気配管（ばっ気、逆洗、エアリフトポンプ等）の変動があっても、液体移送に影響が出ない空気量を確保することが必要となってくる。【０００５】  また、この原理の液体移送装置は、密閉容器内に空気を送り込み空気の圧力で液体を揚水する。この揚水を繰り返し行うためには、１サイクル毎に空気を抜き（大気圧に開放し）密閉容器内に液体を入れる。この工程で、密閉容器に送り込んだ空気が抜ける際の音が約５０ｄＢから６０ｄＢ程になり、騒音の発生源となっていた。揚水管の管内は空気が抜けるときに音が共鳴して、より大きく聞こえる。よって、この共鳴音を分散させるとともに、空気とともに音の出て行く広さを出来るだけ小さくして、音を外に出さないことが必要になってくる。
【課題を解決するための手段】
【０００６】  この課題を解決するための手段は次の通りである。
即ち、上記液体移送装置にあって、少しの空気供給量の変動により揚水量に大きな変動が出てくるのを回避するために、多めの空気供給量で少量の揚水が出来る構造とする。具体的には、本来約１〜２リットル／分の空気量での揚水量約１〜２リットル／分を、約５リットル／分の空気量で約１〜２リットル／分を揚水する構造とする。その構造とは、本来の揚水管の断面積の約２倍から４倍の断面積の揚水管とすることにより実施可能となる。動力源となる空気を大抵１つのブロワーから分岐して使用しているために、他のばっ気や逆洗、エアリフトポンプ等の使用圧が変動した場合、液体移送装置に供給される空気量もそれに伴い変動する。この変動に対して、変動幅を使用風量の約２０％以下とすることにより、揚水量も約２０％以下に抑えることが可能となる。また、ここで使用する多めの空気供給量とは、約５リットル／分から多くても約１０リットル／分のことであり、他の用途に使用している空気供給量が不足するなど影響が出る範囲のものではない。【０００７】  また、上記液体移送装置にあって、密閉容器に送り込んだ空気が抜ける際の音が約５０ｄＢから６０ｄＢ程になり、騒音の発生源となっていた。揚水管の管内は空気が抜けるときに音が共鳴して、より大きく聞こえる。これを解消するために、揚水管の吐出部分を移送する槽の液面下まで下ろし、共鳴する音を管内に封じ込める構造とした。且つその部分を揚水部分の管径より大きな移送管で構成し、液面より上部に複数の小さな空気逃がしの穴を設けることにより、揚水管内に共鳴して騒音となる空気逃がし時の音を分散・減音化し大幅に低い騒音レベルまで落とすことを可能とした。ここで実現した騒音レベルは約３０ｄＢであり、通常、浄化槽内即ちマンホールの下に設置された場合、マンホール上部では聞こえない。
【発明の効果】
【０００８】  本発明の液体移送装置は、通常使用される浄化槽において、動力源となる空気を大抵１つのブロワーから分岐して使用しているために、他のばっ気や逆洗、エアリフトポンプ等の使用圧に変動があると定量性が悪くなる欠点をカバーし、安定した揚水量を確保することが出来る。【０００９】  特開２００３−２２７４９９に示される液体移送装置が原理的な作動工程から発生する約５０ｄＢから６０ｄＢの音が約３０ｄＢに軽減され、騒々しさが解消された。これにより、静寂な郊外の住宅の深夜であっても、騒音の問題なく使用出来るようになった。
【発明を実施するための最良の形態】
【００１０】  本発明は、水処理装置の浄化槽に主として用いられ、例えば嫌気ろ床槽、夾雑物除去槽、及び固液分離槽の汚水（液体）を接触ばっ気槽、担体流動床、生物ろ過槽、膜分離槽等に移送するために用いる液体移送装置として実施する。また、同浄化槽の汚水（液体）処理工程で発生する汚泥の返送装置として実施する。
【実施例１】
【００１１】  本発明を実施するための最良の形態を実施例にもとづき図面を参照して説明する。図１は、本発明の液体移送装置１の断面図である。図２は、本発明の液体移送装置１を組み込んだ浄化槽の断面図である。図２の浄化槽では、図１の液体移送装置１を、汚水流入のピークカット用として取り付けてある。この浄化槽は、図に示すように汚水の流入口２側から順に嫌気濾床槽第一室３、嫌気濾床槽第二室４、生物濾過槽５、処理水槽６、消毒槽７、放流口８から構成され、図の右側の矢印から浄化された処理水が排出されるようになっている。この浄化槽は、図に示すものに限定されるものではなく、しかも本発明は、特に浄化槽において良好に適応することが出来るが、液体を移送するものであれば、どのようなものにも広く適応することが出来る。尚、図２において汚水の水位が高いＨＷＬ（ＨＩＧＨ，ＷＡＴＥＲ，ＬＥＢＥＬ）の場合と、ＭＷＬ（ＭＩＤＤＬＥ，ＷＡＴＥＲ，ＬＥＶＥＬ）の場合と、ＬＷＬ（ＬＯＷ，ＷＡＴＥＲ，ＬＥＶＥＬ）の場合とを図示しているが、これら水位は、流入水の流入量の変動によって変化することになる。【００１２】  液体移送装置１は、図２に示すように、特開２００３−２２７４９９に示された説明の動作により、嫌気濾床槽第二室４内の汚水を前記生物濾過槽５に間欠的に定量移送して、流入水の変動による嫌気濾床槽第一室３、嫌気濾床槽第二室４内の汚水量の変動に係わらず、生物濾過槽５での処理量（負荷）がおおむね同一になるようにしている。【００１３】  液体移送装置１は、図１に示すように、揚水管１０をφ５０とし、本体揚水管９のφ２５より断面積が約４倍のものを使用することにより、約５リットル／分の空気量で約１〜２リットル／分とした。これにより、他のばっ気や逆洗、エアリフトポンプ等の使用圧が変動した場合でも、変動幅を使用風量の約２０％以下に抑えることが出来る。また、ここで使用する約５リットル／分から多くても約１０リットル／分のことであり、他の用途に使用している空気供給量が不足するなど影響が出る範囲のものではない。【００１４】  液体移送装置１は、図１に示すように、揚水管の吐出部分を移送する槽の液面下まで下ろし、共鳴する音を管内に封じ込める構造とした。且つその部分を本体揚水管の管径φ２５より大きなφ５０の移送管９で構成し、液面より上部に複数の小さな空気逃がしの穴を設けることにより、揚水管内に共鳴して騒音となる空気逃がし時の音を分散・減音化し、大幅に低い騒音レベルまで落とすことを可能とした。ここで実現した騒音レベルは約３０ｄＢであり、通常、浄化槽内部即ちマンホール下に設置された場合、マンホール上部では聞こえない。
【産業上の利用可能性】
【００１５】  本発明の実施例は家庭用の小型合併処理浄化槽について開示してあるが、装置の大きな１１人槽以上の浄化槽やその他水処理用ポンプや液体移送装置にも適用できる。
【図面の簡単な説明】
【００１６】
【図１】本発明の液体移送装置である。
【図２】本発明の実施例である家庭用小型合併処理浄化槽への適用例の断面図である。
【符号の説明】
１    液体移送装置
２    流入口
３    嫌気濾床槽第一室
４    嫌気濾床槽第二室
５    生物濾過槽
６    処理水槽
７    消毒槽
８    放流口
９    本体揚水管
１０  液体移送装置揚水管及び揚水管の吐出部分
１１  空気逃がし穴
【図１】
2006316780.tif 000003
【図２】
2006316780.tif 000004